(57)【特許請求の範囲】
【請求項１】
光発生素子と、
前記光発生素子に対する駆動信号を出力して前記光発生素子から光を発生させる駆動回路と、
前記光発生素子を一定の動作状態に維持するための駆動設定信号を前記駆動回路に出力する駆動設定入力回路と、
前記光発生素子の光出力パワーを設定する光出力パワー設定信号を出力する光出力パワー設定入力回路と、
前記光発生素子の光出力パワーをモニターしてモニター信号を出力するモニター回路と、
前記光出力パワー設定信号と前記モニター信号とを比較して比較信号を前記駆動回路に入力し、前記駆動回路の駆動信号を制御する光出力パワー制御回路と、
前記光発生素子の光出力を遮断させる光出力遮断信号を受けてその光出力遮断信号の入力中は、前記駆動回路の駆動信号を停止させる第一の光出力遮断制御回路と、
前記光出力遮断信号を受けてその光出力遮断信号の入力中は、前記光出力パワー制御回路に入力される前記光出力パワー設定信号を光出力遮断レベルに変更させる第二の光出力遮断制御回路と、
前記第二の光出力遮断制御回路と前記光出力パワー制御回路との間に接続され、前記第二の光出力遮断制御回路からの出力を通過させるローパスフィルタとを備え、
光出力遮断時あるいは光出力遮断解除時に前記光発生素子の光出力パワーのオーバーシュートが生じないように制御するようにしたことを特徴とする光出力制御回路。
【請求項２】
前記駆動設定入力回路と前記駆動回路との間に他のローパスフィルタを接続したことを特徴とする請求項１に記載の光出力制御回路。
【請求項３】
前記光出力遮断信号を受けてその光出力遮断信号の入力中は、前記駆動回路に入力される前記駆動設定信号を前記光発生素子の動作状態を解除するレベルに変更させる第三の光出力遮断制御回路を設けたことを特徴とする請求項１又は２に記載の光出力制御回路。
【請求項４】
前記第一及び第三の光出力遮断制御回路に第一の光出力遮断信号を入力する入力回路と、前記第二の光出力遮断制御回路に第二の光出力遮断信号を入力する入力回路とを別個に設けたことを特徴とする請求項３に記載の光出力制御回路。
【請求項５】
前記第一の光出力遮断信号と前記第二の光出力遮断信号の入力タイミングを実質的に同じにし、前記第一の光出力遮断信号の解除タイミングに対して前記第二の光出力遮断信号の解除タイミングを所定時間遅延させることを特徴とする請求項４に記載の光出力制御回路。
【請求項６】
前記第一及び第三の光出力遮断制御回路に前記光出力遮断信号を入力する入力回路を設け、この入力回路から遅延制御回路を介して前記第二の光出力遮断制御回路に前記光出力遮断信号を入力する入力回路を設けたことを特徴とする請求項３に記載の光出力制御回路。
【請求項７】
光発生素子と、
前記光発生素子に対する駆動信号を出力して前記光発生素子から光を発生させる駆動回路と、
前記光発生素子を一定の動作状態に維持するための駆動設定信号を前記駆動回路に出力する駆動設定入力回路と、
前記光発生素子の光出力パワーを設定する光出力パワー設定信号を出力する光出力パワー設定入力回路と、
前記光発生素子の光出力パワーをモニターしてモニター信号を出力するモニター回路と、
前記光出力パワー設定信号と前記モニター信号とを比較して比較信号を前記駆動回路に入力し、前記駆動回路の駆動信号を制御する光出力パワー制御回路と、
前記光発生素子の光出力を遮断させる光出力遮断信号を受けてその光出力遮断信号の入力中は、前記駆動回路に入力される前記駆動設定信号を前記光発生素子の動作状態を解除するレベルに変更させる一方の光出力遮断制御回路と、
前記光出力遮断信号を受けてその光出力遮断信号の入力中は、前記光出力パワー制御回路に入力される前記光出力パワー設定信号を光出力遮断レベルに変更させる他方の光出力遮断制御回路と、
前記他方の光出力遮断制御回路と前記光出力パワー制御回路との間に接続され、前記他方の光出力遮断制御回路からの出力を通過させるローパスフィルタとを備え、
光出力遮断時あるいは光出力遮断解除時に前記光発生素子の光出力パワーのオーバーシュートが生じないように制御することを特徴とする光出力制御回路。
【請求項８】
前記他方の光出力遮断制御回路と前記光出力パワー制御回路との間に他のローパスフィルタを接続したことを特徴とする請求項７に記載の光出力制御回路。
【請求項９】
前記一方の光出力遮断制御回路に第一の光出力遮断信号を入力する入力回路と、前記他方の光出力遮断制御回路に第二の光出力遮断信号を入力する入力回路とを別個に設けたことを特徴とする請求項７又は８のいずれかに記載の光出力制御回路。
【請求項１０】
前記第一の光出力遮断信号と前記第二の光出力遮断信号の入力タイミングを実質的に同じにし、前記第一の光出力遮断信号の解除タイミングに対して前記第二の光出力遮断信号の解除タイミングを所定時間遅延させることを特徴とする請求項９に記載の光出力制御回路。
【請求項１１】
前記一方の光出力遮断制御回路に前記光出力遮断信号を入力する入力回路を設け、この入力回路から遅延制御回路を介して前記他方の光出力遮断制御回路に前記光出力遮断信号を入力する入力回路を設けたことを特徴とする請求項７又は８に記載の光出力制御回路。
【請求項１２】
光発生素子と、
前記光発生素子に対する駆動信号を出力して前記光発生素子から光を発生させる駆動回路と、
前記光発生素子を一定の動作状態に維持するための駆動設定信号を前記駆動回路に出力する駆動設定入力回路と、
前記光発生素子の光出力パワーを設定する光出力パワー設定信号を出力する光出力パワー設定入力回路と、
前記光発生素子の光出力パワーをモニターしてモニター信号を出力するモニター回路と、
前記光出力パワー設定信号と前記モニター信号とを比較して比較信号を前記駆動回路に入力し、前記駆動回路の駆動信号を制御する光出力パワー制御回路と、
前記光発生素子の光出力を遮断させる光出力遮断信号を受けてその光出力遮断信号の入力中は、前記光出力パワー制御回路に入力される前記光出力パワー設定信号を光出力遮断レベルに変更させる光出力遮断制御回路と、
前記光出力遮断制御回路と前記光出力パワー制御回路との間に接続され、前記光出力遮断制御回路からの出力を通過させるローパスフィルタとを備え、
光出力遮断時あるいは光出力遮断解除時に前記光発生素子の光出力パワーのオーバーシュートが生じないように制御することを特徴とする光出力制御回路。
【請求項１３】
前記駆動設定入力回路と前記駆動回路との間に他のローパスフィルタを接続したことを特徴とする請求項１２に記載の光出力制御回路。
【発明の詳細な説明】
【０００１】
【発明の属する技術分野】
本発明は光通信システムの光送信装置等に用いて好適な光出力制御回路あるいは自動パワー制御回路の構成に関するものである。
【０００２】
【従来の技術】
従来の一般的な光出力制御回路あるいは自動パワー制御回路（Automatic Power Control回路。以下、適宜ＡＰＣ回路と称する）の一例を図８に示す。ＡＰＣ回路は、レーザダイオードＬＤ及びモニタフォトダイオードＰＤを含むＬＤモジュールと、モニタフォトダイオードＰＤの出力電流を電圧レベルに変換する電流−電圧変換回路２（ＡＰＣ−ＩＶ変換回路）と、電流−電圧変換回路２の出力電圧Ｖ２（フィードバック電圧）と光出力パワー設定入力回路１２からのＬＤ光出力パワー設定電圧Ｖ１との差分を無くすように制御する光出力パワー制御回路４と、ＡＰＣ回路のループ帯域を決定するローパスフィルタ６（ＬＢＷ−ＬＰＦ）と、レーザダイオードＬＤの駆動電流を制御するＬＤ駆動回路８（ＬＤ−Ｄｒｖ回路）と、ＬＤ駆動の設定入力を定めるＬＤ駆動設定入力回路１８（ＬＤ−Ｄｒｖ設定入力回路）と、光出力パワー制御回路４及びＬＤ駆動回路８の入力電圧がゆっくり変化するように配置されるローパスフィルタ１６及び２２（ＡＰＣ−ＬＰＦ及びＡＣＣ−ＬＰＦ）によって構成されている。
【０００３】
ＬＤ駆動回路８はレーザダイオードＬＤのバイアス電流を駆動する回路と、レーザダイオードＬＤの変調電流を駆動する回路によって構成されている（図示せず）。またＬＤモジュールには感温抵抗（サーミスタ）と熱電変換素子の熱電冷却装置（Thermal Electric Cooler、ＴＥＣ）が含まれており、自動温度調節回路（Automatic Temperature Control回路、ＡＴＣ回路）（図示せず）によってＬＤ温度は一定に保たれている。
【０００４】
ＡＰＣ回路は、レーザダイオードＬＤの背面光などをモニタフォトダイオードＰＤで検出し、その検出した光出力パワーをＡＰＣ回路にフィードバックしてレーザダイオードＬＤの駆動電流を制御し、レーザダイオードＬＤの光出力パワーを一定に制御する。このＡＰＣ回路の動作をさらに詳しく説明する。レーザダイオードＬＤの光出力パワーはレーザダイオードＬＤの背面光などをモニタフォトダイオードＰＤで検出することで得られる。モニタフォトダイオードＰＤはレーザダイオードＬＤの光出力パワーに対応した光電流を出力し、その光電流は電流−電圧変換回路２によって電圧情報に変換される。その電圧情報は光出力パワー制御回路４にフィードバックされる。
【０００５】
光出力パワー制御回路４はＬＤ光出力パワー設定電圧Ｖ１とフィードバック電圧Ｖ２の差分を検出・増幅し、ＬＤ駆動回路８に入力する。レーザダイオードＬＤの変調電流を駆動するＬＤ駆動回路８は、光出力パワー制御回路４からの入力電圧によってＬＤ駆動電流を制御し、ＬＤ光出力パワーは一定に保たれる。またＡＰＣフィードバックループ内には、モニタフォトダイオードＰＤの光電流に含まれる高周波信号を取り除くためにローパスフィルタ６（ＬＢＷ−ＬＰＦ）が挿入され、高周波の信号（ノイズ）はカットされる。
【０００６】
またＡＰＣ回路では、外部からの光出力遮断信号入力でレーザダイオードＬＤの光出力を遮断させる光出力遮断制御回路１０を有する場合がある。この場合、電源投入時の回路動作が不安定な間、あるいはレーザダイオードＬＤの光出力パワーを一定に制御する通常動作時でも、外部から光出力遮断制御回路１０に光出力遮断信号を入力することでレーザダイオードＬＤの光出力を遮断させることが出来る。一方光出力遮断信号入力が解除されると、ＡＰＣ回路は正常動作に復帰するため、レーザダイオードＬＤの光出力パワーは一定にコントロールされる。
【０００７】
またＡＰＣ回路では、光出力パワー設定入力回路１２と光出力パワー制御回路４の間にローパスフィルタ１６（ＡＰＣ−ＬＰＦ）を、またＬＤ駆動設定入力回路１８とＬＤ駆動回路８の間にローパスフィルタ２２（ＡＣＣ−ＬＰＦ）を備える場合がある。この場合光出力パワー設定入力回路１２とＬＤ駆動設定入力回路１８の出力電圧は、ローパスフィルタ１６（ＡＰＣ−ＬＰＦ）及びローパスフィルタ２２（ＡＣＣ−ＬＰＦ）によってその時定数に応じて出力電圧がゆっくりと増加するため、電流投入時においてもＡＰＣ回路は安定動作状態になってから動作することができる。さらにローパスフィルタ１６および２２の時定数に応じて設定電圧がＡＰＣ回路に入力されるため、光出力のオーバーシュート等は発生しない。
【０００８】
【発明が解決しようとする課題】
しかし上記のように光出力遮断機能を持ったＡＰＣ回路では、光出力遮断入力を解除する過渡応答時に、レーザダイオードＬＤの光出力パワーが設定値より大きくなるオーバーシュートが発生するという問題がある。
【０００９】
図９は図８のＡＰＣ回路の動作説明をするための信号波形図である。これは、ＡＰＣ回路によってＬＤ光出力パワーを一定に制御しているときに、光出力遮断信号を入力及び解除したときの光出力パワーを示す。図８および図９を参照して、ＬＤ光出力パワー設定電圧をＶ１、電流−電圧変換回路２からのフィードバック電圧をＶ２とする。光出力遮断信号にHigh-Levelを入力した場合、光出力遮断制御回路１０はレーザダイオードＬＤの駆動電流を０ｍＡにするように制御する。
【００１０】
光出力遮断信号が図９のように高速なパルス波形で入力された場合、フィードバック電圧Ｖ２はレーザダイオードＬＤの光出力遮断状態のために０Ｖとなっている。このとき光出力パワー制御回路４の入力電圧はＶ１（ＬＤ光出力パワー設定電圧）が入力され続けているため、光出力パワー制御回路４の出力は出力電圧の最大値になってしまう。従って次に光出力遮断信号の入力が解除された場合、光出力遮断制御回路１０がレーザダイオードＬＤの駆動電流を駆動可能の状態に制御すると、ＡＰＣのフィードバックループが応答するまでの間、光出力パワー制御回路４の出力の過剰状態が続き、図９に示すようにオーバーシュートが発生する。光出力のオーバーシュートは、ＬＤの破壊を引き起こす。
【００１１】
本発明は、光出力遮断あるいは光出力遮断解除時に、レーザダイオード（ＬＤ）等の光発生素子の光出力パワーのオーバーシュートを低減できる光出力制御回路あるいはＡＰＣ回路を提供することを目的とする。
【００１２】
【課題を解決するための手段】
この発明の光出力制御回路は、請求項１に記載のとおり、光発生素子と、
前記光発生素子に対する駆動信号を出力して前記光発生素子から光を発生させる駆動回路と、
前記光発生素子を一定の動作状態に維持するための駆動設定信号を前記駆動回路に出力する駆動設定入力回路と、
前記光発生素子の光出力パワーを設定する光出力パワー設定信号を出力する光出力パワー設定入力回路と、
前記光発生素子の光出力パワーをモニターしてモニター信号を出力するモニター回路と、
前記光出力パワー設定信号と前記モニター信号とを比較して比較信号を前記駆動回路に入力し、前記駆動回路の駆動信号を制御する光出力パワー制御回路と、
前記光発生素子の光出力を遮断させる光出力遮断信号を受けてその光出力遮断信号の入力中は、前記駆動回路の駆動信号を停止させる第一の光出力遮断制御回路と、
前記光出力遮断信号を受けてその光出力遮断信号の入力中は、前記光出力パワー制御回路に入力される前記光出力パワー設定信号を光出力遮断レベルに変更させる第二の光出力遮断制御回路と、
前記第二の光出力遮断制御回路と前記光出力パワー制御回路との間に接続され、前記第二の光出力遮断制御回路からの出力を通過させるローパスフィルタとを備え、
光出力遮断時あるいは光出力遮断解除時に前記光発生素子の光出力パワーのオーバーシュートが生じないように制御するようにしたものである。
【００１４】
この発明の光出力制御回路は、請求項２に記載のとおり、前記駆動設定入力回路と前記駆動回路との間に他のローパスフィルタを接続したものである。
【００１５】
この発明の光出力制御回路は、請求項３に記載のとおり、前記光出力遮断信号を受けてその光出力遮断信号の入力中は、前記駆動回路に入力される前記駆動設定信号を前記光発生素子の動作状態を解除するレベルに変更させる第三の光出力遮断制御回路を設けたものである。
【００１６】
この発明の光出力制御回路は、請求項４に記載のとおり、前記第一及び第三の光出力遮断制御回路に第一の光出力遮断信号を入力する入力回路と、前記第二の光出力遮断制御回路に第二の光出力遮断信号を入力する入力回路とを別個に設けたものである。
【００１７】
この発明の光出力制御回路は、請求項５に記載のとおり、前記第一の光出力遮断信号と前記第二の光出力遮断信号の入力タイミングを実質的に同じにし、前記第一の光出力遮断信号の解除タイミングに対して前記第二の光出力遮断信号の解除タイミングを所定時間遅延させるものである。
【００１８】
この発明の光出力制御回路は、請求項６に記載のとおり、前記第一及び第三の光出力遮断制御回路に前記光出力遮断信号を入力する入力回路を設け、この入力回路から遅延制御回路を介して前記第二の光出力遮断制御回路に前記光出力遮断信号を入力する入力回路を設けたものである。
【００１９】
この発明の光出力制御回路は、請求項７に記載のとおり、光発生素子と、
前記光発生素子に対する駆動信号を出力して前記光発生素子から光を発生させる駆動回路と、
前記光発生素子を一定の動作状態に維持するための駆動設定信号を前記駆動回路に出力する駆動設定入力回路と、
前記光発生素子の光出力パワーを設定する光出力パワー設定信号を出力する光出力パワー設定入力回路と、
前記光発生素子の光出力パワーをモニターしてモニター信号を出力するモニター回路と、
前記光出力パワー設定信号と前記モニター信号とを比較して比較信号を前記駆動回路に入力し、前記駆動回路の駆動信号を制御する光出力パワー制御回路と、
前記光発生素子の光出力を遮断させる光出力遮断信号を受けてその光出力遮断信号の入力中は、前記駆動回路に入力される前記駆動設定信号を前記光発生素子の動作状態を解除するレベルに変更させる一方の光出力遮断制御回路と、
前記光出力遮断信号を受けてその光出力遮断信号の入力中は、前記光出力パワー制御回路に入力される前記光出力パワー設定信号を光出力遮断レベルに変更させる他方の光出力遮断制御回路と、
前記他方の光出力遮断制御回路と前記光出力パワー制御回路との間に接続され、前記他方の光出力遮断制御回路からの出力を通過させるローパスフィルタとを備え、
光出力遮断時あるいは光出力遮断解除時に前記光発生素子の光出力パワーのオーバーシュートが生じないように制御するものである。
【００２１】
この発明の光出力制御回路は、請求項８に記載のとおり、前記他方の光出力遮断制御回路と前記光出力パワー制御回路との間に他のローパスフィルタを接続したものである。
【００２２】
この発明の光出力制御回路は、請求項９に記載のとおり、前記一方の光出力遮断制御回路に第一の光出力遮断信号を入力する入力回路と、前記他方の光出力遮断制御回路に第二の光出力遮断信号を入力する入力回路とを別個に設けたものである。
【００２３】
この発明の光出力制御回路は、請求項１０に記載のとおり、前記第一の光出力遮断信号と前記第二の光出力遮断信号の入力タイミングを実質的に同じにし、前記第一の光出力遮断信号の解除タイミングに対して前記第二の光出力遮断信号の解除タイミングを所定時間遅延させるものである。
【００２４】
この発明の光出力制御回路は、請求項１１に記載のとおり、前記一方の光出力遮断制御回路に前記光出力遮断信号を入力する入力回路を設け、この入力回路から遅延制御回路を介して前記他方の光出力遮断制御回路に前記光出力遮断信号を入力する入力回路を設けたものである。
【００２５】
この発明の光出力制御回路は、請求項１２に記載のとおり、光発生素子と、
前記光発生素子に対する駆動信号を出力して前記光発生素子から光を発生させる駆動回路と、
前記光発生素子を一定の動作状態に維持するための駆動設定信号を前記駆動回路に出力する駆動設定入力回路と、
前記光発生素子の光出力パワーを設定する光出力パワー設定信号を出力する光出力パワー設定入力回路と、
前記光発生素子の光出力パワーをモニターしてモニター信号を出力するモニター回路と、
前記光出力パワー設定信号と前記モニター信号とを比較して比較信号を前記駆動回路に入力し、前記駆動回路の駆動信号を制御する光出力パワー制御回路と、
前記光発生素子の光出力を遮断させる光出力遮断信号を受けてその光出力遮断信号の入力中は、前記光出力パワー制御回路に入力される前記光出力パワー設定信号を光出力遮断レベルに変更させる光出力遮断制御回路と、
前記光出力遮断制御回路と前記光出力パワー制御回路との間に接続され、前記光出力遮断制御回路からの出力を通過させるローパスフィルタとを備え、
光出力遮断時あるいは光出力遮断解除時に前記光発生素子の光出力パワーのオーバーシュートが生じないように制御するものである。
【００２７】
この発明の光出力制御回路は、請求項１３に記載のとおり、前記駆動設定入力回路と前記駆動回路との間に他のローパスフィルタを接続したものである。
【００２８】
【発明の実施の形態】
以下にこの発明の実施の形態について図面を参照して説明する。図中、同一または相当する部分には同一の符号を付してその説明を簡略化ないし省略する場合がある。
［実施の形態１］
図１は本発明の実施の形態１による光出力制御回路あるいは自動パワー制御回路（ＡＰＣ回路）の構成を示すブロック図である。
このＡＰＣ回路は、レーザダイオードＬＤ（名称を適宜ＬＤと略称し、記号ＬＤで図示する。一般に光発生素子）及びモニタフォトダイオードＰＤ（記号ＰＤで図示する）を含むＬＤモジュールと、モニタフォトダイオードＰＤの出力電流を電圧レベルに変換する電流−電圧変換回路２（ＡＰＣ−ＩＶ変換回路）と、その出力電圧Ｖ２（フィードバック電圧）とＬＤ光出力パワー設定電圧Ｖ１の差分を無くすように制御する光出力パワー制御回路４と、光出力パワー制御回路４の出力電圧Ｖ４に接続されＡＰＣ回路ループ帯域を決定するローパスフィルタ６（ＬＢＷ−ＬＰＦ）と、レーザダイオードＬＤの駆動電流（駆動信号）を制御するＬＤ駆動回路８（ＬＤ−Ｄｒｖ回路、一般に駆動回路）と、外部からの光出力遮断信号入力ＳによってＬＤ駆動回路８のＬＤ駆動電流を０ｍＡにすることの出来る第一の光出力遮断制御回路１０とを備えている。
【００２９】
また、ＬＤ光出力パワー設定電圧Ｖ１を出力する光出力パワー設定入力回路１２と、この光出力パワー設定入力回路１２に接続されて電圧Ｖ１１を出力し、光出力遮断信号入力Ｓによって光出力パワー制御回路４の入力電圧を０Ｖにすることのできる第二の光出力遮断制御回路１４と、この第二の光出力遮断制御回路１４と光出力パワー制御回路４との間に接続されて電圧Ｖ１２を出力するローパスフィルタ１６（ＡＰＣ−ＬＰＦ）を備えている。
さらに、ＬＤ駆動設定電圧Ｖ３を出力するＬＤ駆動設定入力回路１８（ＬＤ−Ｄｒｖ設定入力回路、一般に駆動設定入力回路）と、このＬＤ駆動設定入力回路１８とＬＤ駆動回路８との間に接続されたローパスフィルタ２２（ＡＣＣ−ＬＰＦ）とを備えている。
【００３０】
なお、ＬＤ駆動回路８はレーザダイオードＬＤのバイアス電流を駆動する回路と、レーザダイオードＬＤの変調電流を駆動する回路によって構成されている（図示せず）。前者のバイアス電流を駆動する回路は、ＬＤ駆動設定入力回路１８からのＬＤ駆動設定電圧Ｖ３によって設定される。後者のレーザダイオードＬＤの変調電流を駆動する回路は、光出力パワー制御回路４の出力電圧Ｖ４によって制御される。
以上によってＡＰＣ回路が構成されている。
【００３１】
電流−電圧変換回路２（ＡＰＣ−ＩＶ変換回路）はモニタフォトダイオードＰＤの出力電流を電圧レベルに変換する回路であるが、モニタフォトダイオードＰＤの出力電流の平均値を出力する機能があっても構わない。またＬＤモジュール内にレーザダイオードＬＤの温度（ＬＤ温度と略称する）を検出する感温抵抗（サーミスタ）と熱電変換素子の熱電冷却装置（Thermal Electric Cooler、ＴＥＣ）（符号TECで図示する）を有し、自動温度調整回路（Automatic Temperature Control回路、ＡＴＣ回路）（符号ATCで図示する）によってレーザダイオードＬＤの温度制御を行っていても構わない。
【００３２】
上記の回路構成では、ＡＰＣ回路によってレーザダイオードＬＤの光出力パワー（ＬＤ光出力パワーと略称する）を一定に制御しているときに光出力遮断信号Ｓを入力した場合、第二の光出力遮断制御回路１４によって光出力パワー制御回路４の入力電圧Ｖ１２を高速に０Ｖにすることができる。したがって光出力パワー制御回路４の出力電圧Ｖ４もまた０Ｖにすることができる。さらに光出力遮断制御信号Ｓの入力が解除された場合においては、光出力パワー制御回路４の入力電圧Ｖ１２は０Ｖから設定電圧までローパスフィルタ１６の時定数でゆっくり立ち上がるため、光出力パワー制御回路４の出力電圧Ｖ４も０Ｖからゆっくり立ち上がり、光出力のオーバーシュートは生じない。以下に回路動作について出力を基にして説明をする。
【００３３】
図５は図１のＡＰＣ回路の動作説明をするための信号波形図である。
ＬＤ温度は自動温度調節回路ATCによって一定に制御されているとする。図１および図５を参照して、光出力パワー設定入力回路１２からのＬＤ光出力パワー設定電圧をＶ１、第二の光出力遮断制御回路１４の出力電圧をＶ１１、ローパスフィルタ１６の出力電圧をＶ１２、電流−電圧変換回路２からのフィードバック電圧をＶ２、光出力パワー制御回路４の出力をＶ４とする。
【００３４】
いま第一の光出力遮断制御回路１０および第二の光出力遮断制御回路１４に光出力遮断信号Ｓを入力した場合、ＬＤ駆動回路８は第一の光出力遮断制御回路１０によってＬＤ駆動電流を０ｍＡに制御するため、ＬＤ光出力パワーは直ちに０ｍＷとなる。このとき第二の光出力遮断制御回路１４は光出力パワー制御回路４の入力電圧Ｖ１２を直ちに０Ｖにするため、光出力パワー制御回路４の出力電圧Ｖ４にはオーバーシュートは発生せずに０Ｖになる。
【００３５】
次に光出力遮断信号Ｓの入力が解除された場合、第一の光出力遮断制御回路１０は直ちにＬＤ駆動回路８がレーザダイオードＬＤの電流を駆動できるように制御する。このとき第二の光出力遮断制御回路１４は、直ちにＬＤ光出力パワー設定電圧Ｖ１をローパスフィルタ１６に入力する。光出力パワー制御回路４の入力電圧（ローパスフィルタ１６の出力電圧）Ｖ１２はゆっくりと０Ｖから遮断前の電圧まで立ち上がるため、光出力のオーバーシュートは発生しない。
【００３６】
以上説明したように、この実施の形態のＡＰＣ回路では、ＡＰＣ回路のフィードバックループ外に光出力遮断制御回路を備え、光出力遮断信号入力時にＡＰＣ回路の設定電圧をＧＮＤレベルにする。これにより、光出力遮断信号入力あるいは解除時に、レーザダイオードＬＤの出力パワーのオーバーシュートを防止できる。
【００３７】
以上説明したこの実施の形態のＡＰＣ回路を次のように要約して述べることができる。すなわち、このＡＰＣ回路は、レーザダイオードＬＤ及びモニタフォトダイオードＰＤを含むＬＤモジュールと、モニタフォトダイオードＰＤの出力電流を電圧レベルに変換する電流−電圧変換回路２（ＡＰＣ−ＩＶ変換回路）と、その出力電圧Ｖ２（フィードバック電圧）とＬＤ光出力パワー設定電圧Ｖ１の差分を無くすように制御する光出力パワー制御回路４と、これらのループ帯域を決定するローパスフィルタ６（ＬＢＷ−ＬＰＦ）と、レーザダイオードＬＤの駆動電流を制御するＬＤ駆動回路８（ＬＤ−Ｄｒｖ回路）と、ＬＤ光出力パワー設定入力回路１２と、ＬＤ光出力パワー設定入力回路１２と光出力パワー制御回路４の間に配置されたローパスフィルタ１６（ＡＰＣ−ＬＰＦ）と、ＬＤ駆動設定電圧入力回路１８（ＬＤ−Ｄｒｖ回路設定電圧入力回路）と、ＬＤ駆動設定電圧入力回路１８（ＬＤ−Ｄｒｖ回路設定電圧入力回路）とＬＤ駆動回路８（ＬＤ−Ｄｒｖ回路）との間に配置されたローパスフィルタ２２（ＡＣＣ−ＬＰＦ）を有し、ＬＤ光出力パワー設定入力回路１２とローパスフィルタ１６（ＡＰＣ−ＬＰＦ）との間に光出力遮断制御回路１４を備え、レーザダイオードＬＤの光出力パワーを自動的に制御するものである。
【００３８】
また、この実施の形態１において、レーザダイオードＬＤを光発生素子ととらえ、モニタフォトダイオードＰＤと電流−電圧変換回路２とを接続した回路をモニター回路と称し、その出力電圧Ｖ２（フィードバック電圧）をモニター信号と称してもよい。そうすると、この実施の形態１による光出力制御回路の構成を次のようにも述べることができる。
すなわち、この光出力制御回路では、駆動回路８が光発生素子ＬＤに対する駆動信号を出力して光発生素子ＬＤから光を発生させる。駆動設定入力回路１８は光発生素子ＬＤを一定の動作状態に維持するためのＬＤ駆動設定信号Ｖ３を駆動回路８に出力する。光出力パワー設定入力回路１２は光発生素子ＬＤの光出力パワーを設定する光出力パワー設定信号Ｖ１（ＬＤ光出力パワー設定電圧）を出力する。モニター回路（ＰＤ，２）は光発生素子ＬＤの光出力パワーをモニターしてモニター信号Ｖ２（フィードバック電圧）を出力する。光出力パワー制御回路４は光出力パワー設定信号Ｖ１（ＬＤ光出力パワー設定電圧）とモニター信号Ｖ２（フィードバック電圧）とを比較して比較信号Ｖ４を駆動回路８に入力し、駆動回路８の駆動信号を制御する。いま光出力を一時的に遮断する場合には、第一の光出力遮断制御回路１０は光発生素子ＬＤの光出力を遮断させる光出力遮断信号Ｓを受けてその光出力遮断信号Ｓの入力中は、駆動回路８の駆動信号を停止させる。また、第二の光出力遮断制御回路１４は光出力遮断信号Ｓを受けてその光出力遮断信号Ｓの入力中は、光出力パワー制御回路４に入力される光出力パワー設定信号Ｖ１（ＬＤ光出力パワー設定電圧）を光出力遮断レベルに変更させる。このようにして光出力の遮断動作を含む光出力パワーの制御を行う。
また、この光出力制御回路では、好ましくは、第二の光出力遮断制御回路１４と光出力パワー制御回路４との間にローパスフィルタ１６を挿入し、駆動設定入力回路１８と駆動回路８との間に他のローパスフィルタ２２を挿入している。
【００３９】
［実施の形態２］
図２は本発明の実施の形態２による光出力制御回路あるいは自動パワー制御回路（ＡＰＣ回路）の構成を示すブロック図である。
この実施の形態では、実施の形態１で示した回路構成に加え、ＬＤ駆動回路８とＬＤ駆動設定入力回路１８の間に第三の光出力遮断制御回路２０を配置している。
上記の回路構成では、ＡＰＣ回路によってＬＤ光出力パワーを一定に制御しているときに光出力遮断信号Ｓを入力した場合、第三の光出力遮断制御回路２０によってローパスフィルタ２２（ＡＣＣ−ＬＰＦ）の入力電圧Ｖ３１及びＬＤ駆動回路８の入力電圧Ｖ３２を高速に０Ｖにすることができる。光出力遮断信号Ｓの入力が解除された場合においては、ＬＤ駆動回路８の入力電圧Ｖ３２は０Ｖから設定電圧までローパスフィルタ２２（ＡＣＣ−ＬＰＦ）の時定数でゆっくり立ち上がるため、ＬＤバイアス電流のオーバーシュートは生じない。以下に回路動作について出力を基にして説明する。
【００４０】
図６は図２のＡＰＣ回路の動作説明をするための信号波形図である。
ＬＤ温度はＡＴＣ回路によって一定に制御されているとする。ＬＤ光出力パワー設定電圧をＶ１、第二の光出力遮断制御回路１４の出力電圧をＶ１１、ローパスフィルタ１６（ＡＰＣ−ＬＰＦ）の出力電圧をＶ１２、電流−電圧変換回路２からのフィードバック電圧をＶ２、ＬＤ駆動設定入力回路１８の出力電圧（ＬＤ駆動設定電圧）をＶ３、第三の光出力遮断制御回路２０の出力電圧をＶ３１、ローパスフィルタ２２（ＡＣＣ−ＬＰＦ）の出力電圧をＶ３２、光出力パワー制御回路４の出力をＶ４とする。一般的に光送信器のレーザダイオードＬＤを高速に動作させるためには、ＬＤバイアス電流はレーザダイオードＬＤの閾値電流程度に設定し、ＬＤ変調電流は光出力パワーと消光比を満足するように設定する。
【００４１】
ＡＰＣ回路によってＬＤ光出力パワーを一定に制御しているときに光出力遮断信号を入力すると、実施の形態１で示したシーケンスによってＬＤ光出力の遮断を実現できる。つまり光出力遮断信号を入力した場合、ＬＤ駆動回路８はＬＤ駆動電流を０ｍＡに制御するため、ＬＤ光出力パワーは直ちに０ｍＷ、光出力パワー制御回路４の入力電圧Ｖ１２は０Ｖ、光出力パワー制御回路４の出力電圧Ｖ４は０Ｖとなる。さらにＬＤ駆動回路８とＬＤ駆動設定入力回路１８の間に配置された第三の光出力遮断制御回路２０によって、ローパスフィルタ２２（ＡＣＣ−ＬＰＦ）の入力電圧Ｖ３１及びＬＤ駆動設定電圧Ｖ３２は０Ｖとなる。従ってこの場合、ＬＤ駆動回路８の第一の光出力遮断制御回路１０は無くても良い。
【００４２】
次に光出力遮断信号Ｓの入力が解除された場合、ローパスフィルタ２２（ＡＣＣ−ＬＰＦ）の入力電圧Ｖ３１及びＬＤ駆動回路８の入力電圧Ｖ３２の初期値は０Ｖになっているため、例えばＬＤ駆動回路８内にＬＤのバイアス電流を一定に保つためのフィードバックループが形成されていたとしても、ＬＤ駆動回路８内部の電圧が最大出力電圧に固定されることはない。したがって光出力遮断信号Ｓの入力が解除された場合、ＬＤ駆動回路８のＬＤの入力電圧Ｖ３２はローパスフィルタ２２（ＡＣＣ−ＬＰＦ）によって０Ｖから設定電圧までゆっくりと立ち上がるため、ＬＤバイアス電流のオーバーシュートは生じない。
【００４３】
なお、この実施の形態２による光出力制御回路の構成を次のようにも述べることができる。
すなわち、この光出力制御回路では、実施の形態１による回路構成に加えて、第三の光出力遮断制御回路２０を設け、光出力遮断信号Ｓを受けてその光出力遮断信号Ｓの入力中は、駆動回路８に入力される駆動設定信号Ｖ３（ＬＤ駆動設定電圧）を光発生素子ＬＤの動作状態を解除するレベルに変更させる。このようにして光出力の遮断動作を含む光出力パワーの制御を行う。
【００４４】
［実施の形態３］
図３は本発明の実施の形態３による光出力制御回路あるいは自動パワー制御回路（ＡＰＣ回路）の構成を示すブロック図である。
この実施の形態３では、実施の形態２で示した回路構成に加え、光出力遮断信号入力を２系統有している。すなわち、第一の光出力遮断制御回路１０と第三の光出力遮断制御回路２０とに共通に第一の光出力遮断信号入力Ｓ１を入力させる入力回路Ｌ１を設け、第二の光出力遮断制御回路１４に第二の光出力遮断信号入力Ｓ２を入力させる入力回路Ｌ２を設けた。
【００４５】
実施の形態２では、ＬＤ駆動設定電圧Ｖ３と光出力パワー設定電圧Ｖ１がＬＤ駆動回路８に同時に入力されるため、電源投入時や光遮断信号入力及びＬＤ光出力パワーが目標値と異なる状態で過渡的に動作する場合がある。通常はローパスフィルタ２２（ＡＣＣ−ＬＰＦ）の時定数に比較してローパスフィルタ１６（ＡＰＣ−ＬＰＦ）の時定数を大きく設定する。しかしローパスフィルタ２２及びローパスフィルタ１６の時定数が非常に大きくて立ち上がり時間に差をつけるのが困難で、ＬＤバイアス電流値とＬＤ変調電流値がほぼ同程度の場合、光出力パワーの目標に達しないうちから光出力信号が出力される可能性がある。
【００４６】
この実施の形態３による回路構成では、ＡＰＣ回路によってＬＤ光出力パワーを一定に制御しているときに光出力遮断信号の入力及び解除をおこなっても、ＬＤ駆動回路８への設定電圧印加の時間を任意に決定できるため、ＬＤ光出力パワーが目標値と異なる状態で過渡的に動作することがない。以下に回路動作について出力を基にして説明をする。
【００４７】
図７は図３のＡＰＣ回路の動作説明をするための信号波形図である。
ＬＤ温度はＡＴＣ回路によって一定に制御されているとする。ＬＤ光出力パワー設定電圧をＶ１、第二の光出力遮断制御回路１４の出力電圧をＶ１１、ローパスフィルタ１６の出力電圧をＶ１２、電流−電圧変換回路２からのフィードバック電圧をＶ２、ＬＤ駆動設定入力回路１８の出力電圧（ＬＤ駆動設定電圧）をＶ３、第三の光出力遮断制御回路２０の出力電圧をＶ３１、ローパスフィルタ２２の出力電圧Ｖ３２、光出力パワー制御回路４の出力をＶ４とする。光出力遮断信号入力がHigh-Levelの場合はレーザダイオードＬＤが光出力遮断状態、光出力遮断信号入力がLow-Levelの場合はレーザダイオードＬＤが動作状態とする。
【００４８】
ＡＰＣ回路によってＬＤ光出力パワーを一定に制御しているときに光出力遮断を実現する場合、光出力遮断信号Ｓ１と光出力遮断信号Ｓ２を同時に入力すると、実施の形態２で示したシーケンスによってＬＤ光出力の遮断を実現できる。この場合、光出力パワー制御回路４の入力電圧Ｖ１２とＬＤ駆動回路８の入力電圧Ｖ３２は０Ｖとなり、ＬＤ駆動電流を０ｍＡとすることが出来る。したがって、この場合にはＬＤ駆動回路８の第一の光出力遮断制御回路１０は無くても良い。
【００４９】
次に光出力遮断の状態を解除する場合、初めに第一および第三の光出力遮断制御回路１０，２０に入力する光出力遮断信号Ｓ１を解除する。光出力遮断信号Ｓ１を解除すると、ＬＤ駆動回路８はＬＤ駆動設定電圧Ｖ３に対応するＬＤバイアス電流を駆動する。このときのＬＤバイアス電流はレーザダイオードＬＤの閾値電流程度に設定されており、ＬＤ光出力のバックグランドレベルになる。ＬＤバイアス電流はローパスフィルタ２２によってオーバーシュートが発生しないため、ＬＤ光出力のノイズとして観測されることはない。
【００５０】
ＬＤバイアス電流が安定した後に第二の光出力遮断制御回路１４に入力する光出力遮断信号Ｓ２を解除する。光出力遮断信号Ｓ２を解除すると、光出力パワー制御回路４はＬＤ光出力パワー設定電圧Ｖ１に対応する制御電圧をＬＤ駆動回路８に出力し、ＬＤ駆動回路８は変調電流を駆動する。ＬＤ変調電流はローパスフィルタ１６によってオーバーシュートが発生しないため、光出力のオーバーシュートは発生しない。従ってレーザダイオードＬＤが過電流によって破壊されることはない。またＬＤバイアス電流が既に設定されてＬＤ光出力のバックグランドが決まっているため、レーザダイオードＬＤの送信動作とほぼ同じプロセスで設定でき、ＬＤは安定に動作することが出来る。
【００５１】
すなわち、この光出力制御回路では、実施の形態２による回路構成に加えて、第一及び第三の光出力遮断制御回路１０，２０に第一の光出力遮断信号Ｓ１を入力する入力回路Ｌ１と、第二の光出力遮断制御回路１４に第二の光出力遮断信号Ｓ２を入力する入力回路Ｌ２とを別個に設けた。また、第一の光出力遮断信号Ｓ１と第二の光出力遮断信号Ｓ２の入力タイミングを実質的に同じにし、第一の光出力遮断信号Ｓ１の解除タイミングに対して第二の光出力遮断信号Ｓ２の解除タイミングを所定時間遅延させる。
【００５２】
［実施の形態４］
図４は本発明の実施の形態４による光出力制御回路あるいは自動パワー制御回路（ＡＰＣ回路）の構成を示すブロック図である。
この実施の形態では、実施の形態３で示した回路構成に加え、光出力遮断信号入力を２系統に分け、第二の光出力遮断制御回路１４への入力系統には遅延制御回路を設けた。すなわち、第一および第三の光出力遮断制御回路１０、２０に光出力遮断信号入力Ｓ１を入力させる入力回路Ｌ１を設け、この入力回路Ｌ１から分岐して入力回路Ｌ２を設け、この入力回路Ｌ２に遅延制御回路２４を挿入し、所定時間遅延した光出力遮断信号入力Ｓ２を出力させるようにした。
このような回路構成にすれば、遅延制御回路２４を備える事によって光出力遮断信号の入力は１つで良い。以下に回路動作の説明をする。
【００５３】
図７は図４のＡＰＣ回路の動作説明をするための信号波形図である。
ＬＤ温度はＡＴＣ回路によって一定に制御されているとする。ＬＤ光出力パワー設定電圧をＶ１、第二の光出力遮断制御回路１４の出力電圧をＶ１１、ローパスフィルタ１６（ＡＰＣ−ＬＰＦ）の出力電圧をＶ１２、電流−電圧変換回路２からのフィードバック電圧をＶ２、ＬＤ駆動設定入力回路１８の出力電圧（ＬＤ駆動設定電圧）をＶ３、第三の光出力遮断制御回路２０の出力電圧をＶ３１、ローパスフィルタ２２（ＡＣＣ−ＬＰＦ）の出力電圧をＶ３２、光出力パワー制御回路４の出力をＶ４とする。光出力遮断信号入力がHigh-Levelの場合はレーザダイオードＬＤが光出力遮断状態、光出力遮断信号入力がLow-Levelの場合はレーザダイオードＬＤが動作状態とする。
【００５４】
ＡＰＣ回路によってＬＤ光出力パワーを一定に制御しているときに光出力遮断を実現する場合、入力回路Ｌ１に光出力遮断信号Ｓ１としてHigh-Levelを入力すると、実施の形態３で示したシーケンスによってレーザダイオードＬＤの光出力遮断を実現できる。遅延制御回路２４は図４内に例示しているように遅延素子とＯＲゲートで構成しているため、光出力遮断信号入力Ｓ１と光出力遮断信号入力Ｓ２は等しい。この場合光出力パワー制御回路４とＬＤ駆動回路８の入力電圧は０Ｖとなり、ＬＤ駆動電流を０ｍＡとすることが出来る。このためＬＤ駆動回路８の第一の光出力遮断制御回路１０は無くても良い。
【００５５】
次に光出力遮断の状態を解除する場合、光出力遮断信号Ｓ１にLow-Levelを入力すると、ＬＤ駆動回路８はＬＤ駆動設定電圧Ｖ３に対応するＬＤバイアス電流を駆動する。このときのＬＤバイアス電流はレーザダイオードＬＤの閾値電流程度に設定されており、ＬＤ光出力のバックグラウンドレベルになる。ＬＤバイアス電流はローパスフィルタ２２によってオーバーシュートが発生しないため、ＬＤ光出力のノイズとして観測されることはない。
【００５６】
また遅延制御回路２４内の遅延素子はＬＤバイアス電流が安定するまでの間入力信号を遅延させる。遅延素子は遅延を発生させるものであれば、ＲＣフィルタやカウンタ等でも良い。光出力遮断信号Ｓ２は遅延素子によって発生した遅延時間後にLow-Levelとなり光出力パワー制御回路４はＬＤ光出力パワー設定電圧Ｖ１に対応する制御電圧をＬＤ駆動回路８に出力し、ＬＤ駆動回路８はＬＤ変調電流を駆動する。ＬＤ変調電流はローパスフィルタ１６によってオーバーシュートが発生しないため、光出力のオーバーシュートは発生しない。従ってＬＤが過電流によって破壊されることはない。またＬＤバイアス電流が既に設定されてＬＤ光出力のバックグランドが決まっているため、ＬＤの送信動作とほぼ同じプロセスで設定でき、ＬＤは安定に動作することが出来る。
【００５７】
本実施の形態では光出力遮断信号入力がHigh-Levelの場合はレーザダイオードＬＤが光出力遮断状態、光出力遮断信号入力がLow-Levelの場合はレーザダイオードＬＤが動作状態としたが、逆の場合においても遅延制御回路を遅延素子とＡＮＤゲートで構成すれば上記と同様の動作は可能である。
【００５８】
なお、この実施の形態４による光出力制御回路の構成を次のようにも述べることができる。
すなわち、この光出力制御回路では、実施の形態２による回路構成に加えて、第一及び第三の光出力遮断制御回路１０，２０に光出力遮断信号Ｓ１を入力する入力回路Ｌ１を設け、この入力回路Ｌ１から分岐して入力回路Ｌ２を設け、遅延制御回路２４を介して第二の光出力遮断制御回路１４に所定時間遅延した光出力遮断信号Ｓ２を入力するようにした。
【００５９】
なお、実施の形態２〜４の図２〜４において、第一の光出力遮断制御回路１０はなくてもよいことを説明した。その場合、第三の光出力遮断制御回路２０を一方の光出力遮断制御回路と称し、第二の光出力遮断制御回路１４を他方の光出力遮断制御回路と称することにする。そうすれば、実施の形態２〜４による光出力制御回路の構成を次のようにも述べることができる。
すなわち、この光出力制御回路では、駆動回路８が光発生素子ＬＤに対する駆動信号を出力して光発生素子ＬＤから光を発生させる。駆動設定入力回路１８は光発生素子ＬＤを一定の動作状態に維持するための駆動設定信号Ｖ３（ＬＤ駆動設定電圧）を駆動回路８に出力する。光出力パワー設定入力回路１２は光発生素子ＬＤの光出力パワーを設定する光出力パワー設定信号Ｖ１（ＬＤ光出力パワー設定電圧）を出力する。モニター回路（ＰＤ，２）は光発生素子ＬＤの光出力パワーをモニターしてモニター信号Ｖ２（フィードバック電圧）を出力する。光出力パワー制御回路４は光出力パワー設定信号Ｖ１（ＬＤ光出力パワー設定電圧）とモニター信号Ｖ２（フィードバック電圧）とを比較して比較信号Ｖ４を駆動回路８に入力し、駆動回路８の駆動信号を制御する。いま光出力を一時的に遮断する場合には、一方の光出力遮断制御回路２０は、光発生素子ＬＤの光出力を遮断させる光出力遮断信号ＳまたはＳ１を受けてその光出力遮断信号の入力中は、駆動回路８に入力される駆動設定信号Ｖ３（ＬＤ駆動設定電圧）を光発生素子ＬＤの動作状態を解除するレベルに変更させる。また、他方の光出力遮断制御回路１４は光出力遮断信号ＳまたはＳ２を受けてその光出力遮断信号の入力中は、光出力パワー制御回路４に入力される光出力パワー設定信号Ｖ１（ＬＤ光出力パワー設定電圧）を光出力遮断レベルに変更させる。このようにして光出力の遮断動作を含む光出力パワーの制御を行う。
【００６０】
なお、実施の形態１の図１において、第一の光出力遮断制御回路１０はなくても、第二の光出力遮断制御回路１４があれば、これによって光出力遮断信号入力時にＡＰＣ回路の設定電圧をＧＮＤレベルにすることができる。これにより、光出力遮断信号入力あるいは解除時に、レーザダイオードＬＤの出力パワーのオーバーシュートを防止できる。その動作は以上の説明から自明であるので、重複説明は省略する。
【００６１】
なお、以上の説明において、この発明を、光出力制御回路あるいは自動パワー制御回路として説明したが、これは光通信システム等で用いられる光出力の制御回路を備えた光発生装置あるいは光送信装置として捉えてもよい。
【００６２】
【発明の効果】
以上説明したように、この発明の光出力制御回路では、光出力制御回路のフィードバックループ外に光出力遮断制御回路を備えたので、光出力遮断信号入力あるいは解除時に光出力パワーのオーバーシュートを防止することができる。
【図面の簡単な説明】
【図１】  本発明の実施の形態１による光出力制御回路あるいは自動パワー制御回路の構成を示すブロック図である。
【図２】  本発明の実施の形態２による光出力制御回路あるいは自動パワー制御回路の構成を示すブロック図である。
【図３】  本発明の実施の形態３による光出力制御回路あるいは自動パワー制御回路の構成を示すブロック図である。
【図４】  本発明の実施の形態４による光出力制御回路あるいは自動パワー制御回路の構成を示すブロック図である。
【図５】  図１の光出力制御回路の動作説明をするための信号波形図である。
【図６】  図２の光出力制御回路の動作説明をするための信号波形図である。
【図７】  図３および図４の光出力制御回路の動作説明をするための信号波形図である。
【図８】  従来の光出力制御回路あるいは自動パワー制御回路の構成を示すブロック図である。
【図９】  図８の光出力制御回路の動作説明をするための信号波形図である。
【符号の説明】
２  電流−電圧変換回路（ＡＰＣ−ＩＶ変換回路）、
４  光出力パワー制御回路、
６  ローパスフィルタ（ＬＢＷ−ＬＰＦ）、
８  ＬＤ駆動回路（ＬＤ−Ｄｒｖ回路）、駆動回路、
１０  第一の光出力遮断制御回路、
１２  光出力パワー設定入力回路、
１４  第二の光出力遮断制御回路、（他方の光出力遮断制御回路）、
１６  ローパスフィルタ（ＡＰＣ−ＬＰＦ）、
１８  ＬＤ駆動設定入力回路（ＬＤ−Ｄｒｖ設定入力回路）、駆動設定入力回路、
２０  第三の光出力遮断制御回路、（一方の光出力遮断制御回路）、
２２  ローパスフィルタ（ＡＣＣ−ＬＰＦ）、
２４  遅延制御回路、
ＬＤ  レーザダイオード、光発生素子、
ＰＤ  モニタフォトダイオード、
Ｖ１  ＬＤ光出力パワー設定電圧、光出力パワー設定信号、
Ｖ２  フィードバック電圧、モニター信号、
Ｖ３  ＬＤ駆動設定電圧、駆動設定信号、
Ｖ４  光出力パワー制御電圧、
Ｓ  光出力遮断信号、
Ｓ１  第一の光出力遮断信号、
Ｓ２  第二の光出力遮断信号、
Ｌ１，Ｌ２  光出力遮断信号の入力回路。
【図１】
0003795762.tif 000002
【図２】
0003795762.tif 000003
【図３】
0003795762.tif 000004
【図４】
0003795762.tif 000005
【図５】
0003795762.tif 000006
【図６】
0003795762.tif 000007
【図７】
0003795762.tif 000008
【図８】
0003795762.tif 000009
【図９】
0003795762.tif 000010